(57)【要約】【課題】ゴミを出さずかつ電源を有することなく足を保温することができる環境に優しい温熱スリッパを提供すること【解決手段】布地で形成された甲部及び底部と、前記甲部及び底部のいずれかに形成された少なくとも１つの袋状部と、前記袋状部に内包された生米と、を含み、電子レンジによる加熱により繰り返し温熱効果を発揮することを特徴とする温熱スリッパ。【選択図】図１
2016097274.tif 000002
【特許請求の範囲】
【請求項１】
布地で形成された甲部及び底部と、
前記甲部及び底部のいずれかに形成された少なくとも１つの袋状部と、
前記袋状部に内包された生米と、を含み、
電子レンジによる加熱により繰り返し温熱効果を発揮することを特徴とする温熱スリッパ。
【請求項２】
前記生米の水分含有率が８〜１５％であること、を特徴とする請求項１に記載の温熱スリッパ。
【請求項３】
前記生米の水分含有率が１０〜１３％であること、を特徴とする請求項１に記載の温熱スリッパ。
【発明の詳細な説明】
【技術分野】
【０００１】
本発明は、電子レンジによる加熱により繰り返し温熱効果を発揮する温熱スリッパに関する。
【背景技術】
【０００２】
従来より、スリッパ等よりも積極的に足を保温するための機器等として、電気ヒーターにより足を加熱又は保温する種々の製品が提案されている。
【０００３】
例えば特許文献１（実用新案登録第３０２６６２３号）においては、「ポケット付スリッパ―」が提案されている。より具体的には、「スリッパーに使い捨てカイロを収納するポケットを具備するスリッパ―を提供する」ことを目的として、「スリッパー（１）の甲の部（１ａ）に使い捨てカイロ（３）を温熱源として収納可能なポケット（２）を付設し、足体挿入部に向けてポケット（２）の開口部（２ａ）を具備してなることを特徴とするポケット付スリッパー」が提案されている（特許文献１、要約及び請求項１）。
【０００４】
また、例えば特許文献２（特開２００１−２９９８００）においては、「蓄熱材による加熱及び保温」が提案されている。より具体的には、「コードレスタイプとする事により用途を広げ、又靴の中敷きの冬場の保温等」を目的として、「スリッパタイプの足温器１の内部に蓄熱材５を加熱充熱し、必要に応じて着脱自在とせる電源コード３を外して、コードレスタイプとしての使用を可能になしたる、蓄熱材により保温する足温器」が提案されている（特許文献２、要約及び請求項１）。
【先行技術文献】
【特許文献】
【０００５】
【特許文献１】実用新案登録第３０２６６２３号公報
【特許文献２】特開２００１−２９９８００号公報
【発明の概要】
【発明が解決しようとする課題】
【０００６】
しかしながら、上記特許文献１において提案されている発明では、温熱源として使い捨てカイロを使用するため、使用毎にゴミが出てしまい環境面に悪影響を及ぼすという問題があり、また、上記特許文献２において提案されている発明では、電気ヒーターにより加熱又は保温するため、電気コードがついており移動が不可能という問題があった。
【０００７】
そこで、本発明は、従来技術の有する上記のような問題点を解決すべくなされたものであり、より具体的には、ゴミを出さずかつ電源を有することなく足を保温することができる環境に優しい温熱スリッパを提供することである。
【課題を解決するための手段】
【０００８】
上記の課題を解決すべく、本発明は、布地で形成された甲部及び底部と、
前記甲部及び底部のいずれかに形成された少なくとも１つの袋状部と、
前記袋状部に内包された生米と、を含み、
電子レンジによる加熱により繰り返し温熱効果を発揮することを特徴とする温熱スリッパを提供する。
【０００９】
このような構成を有する本発明の温熱スリッパによれば、電子レンジを用いて加熱すると、袋状部に内包された生米が適度な水分を保持しつつ加熱され、その後これを履くと、蒸れることなく足を適切に保温することができる。
【００１０】
上記の本発明によれば、前記生米の水分含有率が１０〜１５％であること、が好ましい。
【００１１】
このような構成を有する本発明の温熱スリッパによれば、上記生米の水分含有率を１０％以上とすることによって、足を過度に蒸らすことなく保温することができ、１５％以下とすることによって、適度な蒸気で確実に足を保温することができる。
【００１２】
特に、本発明者は、この生米の水分含有量について鋭意実験を繰り返して検討した結果、１０〜１５％の範囲であればこのように従来に比して顕著な作用効果を奏することを見出し、本発明を完成するに至ったものである。
【発明の効果】
【００１３】
本発明によれば、ゴミを出さずかつ電源を有することなく足を保温することができる環境に優しい温熱スリッパを実現することができる。
【図面の簡単な説明】
【００１４】
【図１】本発明の温熱スリッパの一実施形態の構成を示す概略斜視図（写真）である。
【図２】図１に示す温熱スリッパの概略背面図である。
【発明を実施するための形態】
【００１５】
以下、本発明の温熱スリッパの一実施形態について、図面を参照しつつ詳細に説明するが、本発明はこれらのみに限定されるものではない。ただし、図面は、本発明を概念的に説明するためのものであるから、理解容易のために、必要に応じて寸法、比又は数を誇張又は簡略化して表している場合もある。
【００１６】
図１及び図２に示すように、本実施形態の保温スリッパ１は、布地で形成された甲部２及び底部４と、甲部２及び底部４のいずれかに形成された少なくとも１つの袋状部２ａと、袋状部に内包された生米と、を含み、電子レンジによる加熱により繰り返し温熱効果を発揮することを特徴とするものである。
【００１７】
甲部２及び底部４は、保温スリッパ１を構成する主要部であり、甲部２は、所定の空間に足の甲を覆う機能を有するものであり、袋状部２ａを形成することができればどのような形態を有していてもよい。例えば一部に開口が設けられていてもよい。
【００１８】
また、底部２は、足がその裏面において載置されて保護・保持する機能を有するものであり、これも袋状部２ａを形成することができればいかなる形態を有してもよい。
【００１９】
これら保温スリッパ１を構成する甲部２及び底部４を構成する材料は、温熱効果により足を保温するために袋状部２ａを形成可能で、先に述べた機能を発揮する布地であれば特に制限されないが、例えば、履き心地を向上させるためにフリース素材等を用いることができる。
【００２０】
また、甲部２及び底部４には、縫製により複数の袋状部２ａが形成されている。この袋状部２ａは、生米を外部に脱落乃至はこぼれさせることなく内包できる構成を有していればよい。本実施形態においては、略矩形形状であるが、その他、例えば略円形状、略多角形状、略線状（ストライプ状）等、種々の形状を有し得る。
【００２１】
ここで、袋状部２ａに内包される生米は、水分含有率を８〜１５％とすることにより適度な蒸気を発し、最大限の保温効果を発揮する。また、水分含有率の調整が比較的容易である。生米の水分含有率を８％以上であれば、足を過度に蒸らすことなく繰り返し保温することができ、１５％以下であれば、適度な蒸気で確実に足を保温することができる。
【００２２】
なかでも、水分含有率を１０〜１３％とするのが特に好ましい。生米の水分含有率を１０％以上とすることによって、より確実に足を過度に蒸らすことなく繰り返し保温することができ、１３％以下とすることによって、より確実に適度な蒸気で確実に足を保温することができる。
【００２３】
ここで、本実施形態における水分含有率は、生米に含まれる水分の割合を示す指標であり、一般的には重量基準と体積基準があるが、ここでは重量基準である。この水分含有率は、例えばニューワＭＤ７８２２（穀物水分計）によって測定することができる。このような生米の水分含有量の調整は、生米を干すこと（例えば天日干し）や加熱することによって行うことができる。
【００２４】
以上、本発明の温熱スリッパの代表的な実施形態について説明したが、特許請求の範囲に記載された本発明の技術的思想の範囲内で種々の設計変更が可能であり、それらは全て本発明に含まれるものである。
【産業上の利用可能性】
【００２５】
本発明の温熱スリッパは、学校や部活、仕事から帰宅してリラックスしたい場合等、種々の場面において好適に使用することができる。
【００２６】
また、例えば一般家庭の台所で主婦が好適に利用することができる。床暖房が設置されていない台所の冬季の寒さは極めて厳しいため、主婦が、台所に設置されている電子レンジで温めた温熱スリッパを履いて炊事を行い、温かさが減少してきても、すぐさま電子レンジで温めて履くことを可能とし、冬季における主婦の炊事を快適なものとする。
【符号の説明】
【００２７】
１・・・温熱スリッパ、
２・・・甲部、
２ａ・・袋状部、
４・・・底部。
【図１】
2016097274.tif 000003
【図２】
2016097274.tif 000004